(57)【要約】【課題】従来は、機能設定の操作が複雑で、設定項目数が多いため、携帯電話端末に不慣れなユーザが機能設定をできない場合がある。また、自動的に機能を設定するための設定情報を簡便に作成することができるとは限らない。【解決手段】携帯電話端末１０の機能設定を行おうとするユーザ（携帯電話端末１０のユーザとは限らない）は、設定サーバ１１に接続可能なパーソナルコンピュータ１３上のブラウザ１３１を使用して、機能設定ページ１１４をブラウザ１３１に表示して、機能を選択すると共に携帯電話端末１０のメールアドレスを入力する。設定サーバ１１は選択された機能に基づいて設定情報１１５を作成して設定情報１１５のありかを示すメールを携帯電話端末１０へ送信する。携帯電話端末１０は設定情報受信手段１０３により受信した設定情報に基づいて、設定実行手段１０４により機能設定手段１０５を使用して機能を設定する。【選択図】            図１
2004297526.tif 000002
【特許請求の範囲】
【請求項１】
設定サーバから送信された設定情報を携帯電話端末が受信して、該携帯電話端末が受信した設定情報に基づいて該携帯電話端末の各種機能を設定する機能自動設定方法において、
前記設定サーバが、通信手段を介して接続されたブラウザ機能を搭載した情報端末に対して、前記携帯電話端末の機能設定のための機能設定ページをブラウザに表示させる第１のステップと、
前記設定サーバが、前記情報端末から送信された前記ブラウザに表示された機能設定ページから選択された機能の情報と、機能設定を行う前記携帯電話端末のメールアドレスとを受信する第２のステップと、
受信された前記選択された機能の情報に基づいて、前記設定サーバが設定情報を生成して記憶する第３のステップと、
前記設定サーバが、前記設定情報の記憶場所の情報を含むメールを前記メールアドレス先の前記携帯電話端末に送信する第４のステップと、
前記携帯電話端末が、前記メールを受信して前記設定情報の記憶場所を取得し、前記設定サーバに対して取得した該記憶場所から前記設定情報を送信させるように指示する第５のステップと、
前記携帯電話端末からの送信指示に基づき、前記設定サーバが前記設定情報を前記携帯電話端末へ送信する第６のステップと、
前記携帯電話端末が、前記設定サーバから送信された前記設定情報を受信し、その受信設定情報に基づいて、前記情報端末で選択された機能の設定を行う第７のステップと
を含むことを特徴とする機能自動設定方法。
【請求項２】
設定サーバから送信された設定情報を、アプリケーション実行手段を備えた携帯電話端末が受信して、該携帯電話端末が受信した設定情報に基づいて該携帯電話端末の各種機能を設定する機能自動設定方法において、
前記設定サーバが、通信手段を介して接続されたブラウザ機能を搭載した情報端末に対して、前記携帯電話端末の機能設定のための機能設定ページをブラウザに表示させる第１のステップと、
前記設定サーバが、前記情報端末から送信された前記ブラウザに表示された機能設定ページから選択された機能の情報と、機能設定を行う前記携帯電話端末のメールアドレスとを受信する第２のステップと、
受信された前記選択された機能の情報に基づいて、前記設定サーバが設定情報を生成して記憶する第３のステップと、
前記設定サーバが、前記設定情報の記憶場所の情報を含むメールを前記メールアドレス先の前記携帯電話端末に送信する第４のステップと、
前記携帯電話端末が、前記メールを受信して前記設定情報の記憶場所を取得し、前記設定サーバに対して取得した該記憶場所から前記設定情報を機能設定アプリケーションと共に送信させるように指示する第５のステップと、
前記携帯電話端末からの送信指示に基づき、前記設定サーバが前記設定情報を前記機能設定アプリケーションと共に前記携帯電話端末へ送信する第６のステップと、
前記携帯電話端末が、前記設定サーバから送信された前記設定情報及び機能設定アプリケーションを受信し、受信機能設定アプリケーションを使用して受信設定情報に基づいて、前記情報端末で選択された機能の設定を行う第７のステップと
を含むことを特徴とする機能自動設定方法。
【請求項３】
設定サーバから送信された設定情報を携帯電話端末が受信して、該携帯電話端末が受信した設定情報に基づいて該携帯電話端末の各種機能を設定する機能自動設定方法において、
前記設定サーバが、通信手段を介して接続されたブラウザ機能を搭載した情報端末に対して、前記携帯電話端末の機能設定のための機能設定ページをブラウザに表示させる第１のステップと、
前記設定サーバが、前記情報端末から送信された前記ブラウザに表示された機能設定ページから選択された機能の情報と、機能設定を行う前記携帯電話端末のメールアドレスとを受信する第２のステップと、
受信された前記選択された機能の情報に基づいて、前記設定サーバが設定情報を生成して記憶する第３のステップと、
前記設定サーバが、前記設定情報を含むメールを前記メールアドレス先の前記携帯電話端末に送信する第４のステップと、
前記携帯電話端末が、前記設定サーバから送信されたメールを受信して、そのメールに含まれる前記設定情報を取得し、その取得設定情報に基づいて、前記情報端末で選択された機能の設定を行う第５のステップと
を含むことを特徴とする機能自動設定方法。
【請求項４】
前記設定情報の記憶場所の情報は、ＵＲＬ（Ｕｎｉｆｏｒｍ  Ｒｅｓｏｕｒｃｅ  Ｌｏｃａｔｏｒ）であることを特徴とする請求項１又は２記載の機能自動設定方法。
【請求項５】
設定サーバから送信された設定情報を受信し、その受信設定情報に基づいて各種機能を設定する携帯電話端末において、
前記設定サーバが送信する前記設定情報は、前記設定サーバが通信手段を介して接続されたブラウザ機能を搭載した情報端末のブラウザに機能設定ページを表示させて、該情報端末により選択された機能の情報に基づいて前記設定サーバが生成したものであり、
前記設定サーバから送信された前記設定情報の記憶場所の情報を含むメールを受信するメール受信手段と、
前記受信手段により受信したメールに基づき前記設定情報の記憶場所を取得し、前記設定サーバに対して取得した該記憶場所から前記設定情報を送信させるように指示する送信指示手段と、
前記送信指示手段による送信指示に基づき、前記設定サーバから送信された前記設定情報を受信する設定情報受信手段と、
前記設定情報受信手段により受信された設定情報に基づいて、前記情報端末で選択された機能の設定を行う機能設定手段と
を有することを特徴とする携帯電話端末。
【請求項６】
設定サーバから送信された設定情報を受信し、その受信設定情報に基づいて各種機能を設定すると共に、アプリケーション実行手段を備えた携帯電話端末において、
前記設定サーバが送信する前記設定情報は、前記設定サーバが通信手段を介して接続されたブラウザ機能を搭載した情報端末のブラウザに機能設定ページを表示させて、該情報端末により選択された機能の情報に基づいて前記設定サーバが生成したものであり、
前記設定サーバから送信された前記設定情報の記憶場所の情報を含むメールを受信するメール受信手段と、
前記受信手段により受信したメールに基づき前記設定情報の記憶場所を取得し、前記設定サーバに対して取得した該記憶場所から前記設定情報を、機能設定アプリケーションと共に送信させるように指示する送信指示手段と、
前記送信指示手段による送信指示に基づき、前記設定サーバから送信された前記設定情報と前記機能設定アプリケーションとを受信する設定情報受信手段と、前記設定情報受信手段により受信された前記機能設定アプリケーションを使用して、受信された前記設定情報に基づいて、前記情報端末で選択された機能の設定を行うアプリケーション実行手段と
を有することを特徴とする携帯電話端末。
【請求項７】
設定サーバから送信された設定情報を受信し、その受信設定情報に基づいて各種機能を設定する携帯電話端末において、
前記設定サーバが送信する前記設定情報は、前記設定サーバが通信手段を介して接続されたブラウザ機能を搭載した情報端末のブラウザに機能設定ページを表示させて、該情報端末により選択された機能の情報に基づいて前記設定サーバが生成したものであり、
前記設定サーバから送信された前記設定情報を含むメールを受信するメール受信手段と、
前記受信手段により受信したメールから取得した設定情報に基づいて、前記情報端末で選択された機能の設定を行う機能設定手段と
を有することを特徴とする携帯電話端末。
【発明の詳細な説明】
【０００１】
【発明の属する技術分野】
本発明は機能自動設定方法及び携帯電話端末に係り、特に携帯電話の各種機能を自動的に設定する機能自動設定方法及びその機能自動設定方法を備えた携帯電話端末に関する。
【０００２】
【従来の技術】
近年、携帯電話端末は高機能化し、メニューによる設定項目数が非常に多くなっている。そのため、携帯電話端末に慣れているユーザにとっても、全ての設定項目把握や目的の設定メニューを探し出すことが難しい場合がある。ましてや、携帯電話端末に不慣れなユーザにとっては、設定を行うこと自体が非常に困難になっている。
【０００３】
従来の携帯電話端末における機能設定は、設定を行うためのメニュー呼出手段と、メニューの中から個々の設定を探すための設定項目検索手段と、設定を行うための設定手段によって構成されている。このような構成を有する従来の携帯電話端末における機能設定方式は、次のように動作する。すなわち、ユーザは目的の設定を行うためにメニュー呼出手段によりメニューを呼び出し、設定項目検索手段により目的の項目を探し出し、設定手段によって設定を行う。複数の項目設定を行う場合は、前記の操作を必要な回数繰り返すことになる。
【０００４】
また、携帯電話端末の機能の設定を自動的に行う方法が従来より種々提案されている（例えば、特許文献１〜４参照）。特許文献１記載の従来の機能自動設定方法は、携帯電話端末が、その機能設定情報を有するサーバに対して機能設定情報要求をして、サーバから要求した機能設定情報をダウンロードすることにより機能を自動設定する。また、特許文献２には、携帯端末装置がローカルネットワークを介して少なくとも１つの計算機装置と接続し、自装置上で動作し所定のコンピュータネットワークに接続して使用するアプリケーションプログラムの動作に必要な若しくは該動作のために利用可能な所定のコンピュータネットワークに関係する所定の情報を、接続した計算機装置の全部又は一部から取得し、取得した情報の少なくとも一部に基づいてアプリケーションプログラムの所定のコンピュータネットワークに関係する所定の設定を行う構成が開示されている。
【０００５】
また、特許文献３には、電子メールを通信する機能を備えた携帯電話端末において、通信手段が受信した電子メールに記述されている内容がダイヤルロック機能などの各種機能を設定・解除するものであることを識別した時には、その電子メールに記述されている内容に従って各種の機能の設定・解除を行う構成が開示されている。
【０００６】
更に、特許文献４には、携帯電話端末が、ユーザが希望するモードの設定に対応するコマンドを含むデータを処理装置から受信すると、予め記憶されている設定情報に基づいて、受信データに含まれるコマンドに対応するように自身のモードを設定する構成が開示されている。
【０００７】
【特許文献１】
特開２００２−２８１１５５号公報（第２頁）
【特許文献２】
特開２０００−１４８６３７号公報（第２頁）
【特許文献３】
特開２００１−００８２７０号公報（第２頁）
【特許文献４】
特開２００２−１４２０２１号公報（第２頁）
【０００８】
【発明が解決しようとする課題】
しかるに、上記のメニュー呼出手段、設定項目検索手段及び設定手段を備えた従来の機能設定方法には以下の課題がある。第１の課題は、目的の設定項目を見付け出すまでに多くの操作が必要となるということである。その理由は携帯電話端末の画面が小さいために、項目の一覧性に劣り階層化されたメニュー内での手操作による項目検索、複数画面に渡る設定項目リストからの目的項目検索を行う必要があるためである。
【０００９】
第２の課題は、複数項目の設定を行う場合には、複数回の設定操作を繰り返さなければならないということである。その理由は、設定機能が一度に設定できる項目が１項目となっているためである。
【００１０】
第３の課題は、携帯電話端末に不慣れなユーザが機能設定をできない場合があるということである。その理由は、機能設定の操作が複雑になっており、かつ、設定項目数が多いため目的の設定項目の検索が困難となっているためである。
【００１１】
また、特許文献１記載の従来の機能設定方法は、機能の設定を自動的に行うことはできるが、端末の利用者が簡便に設定情報を作成することができるとは限らない。また、特許文献２記載の従来の機能設定方法は、携帯電話端末の機能設定ではなく、ネットワークに関する設定であり、また、設定情報を簡便に作成したり、携帯電話端末に機能を設定するためのアプリケーションのありかを携帯電話端末に通知することができない。
【００１２】
また、特許文献３記載の従来の機能設定方法は、設定情報を電子メールで通知するものであるが、携帯電話端末の機能設定を行うための情報を簡便に作成する手段を有しないため、ユーザは設定したい機能をメール本文に記述するなど、簡便さという点で劣る。更に、特許文献４記載の従来の機能設定方法は、機能の設定を自動的に行うことはできるが、端末の利用者が簡便に設定情報を作成することができるとは限らない。
【００１３】
本発明は、以上の点に鑑みなされたもので、携帯電話端末の機能設定を行うための情報をブラウザを使用して携帯電話端末とは離れた場所においても簡便に作成することができる機能自動設定方法及び携帯電話端末を提供することを目的とする。
【００１４】
また、本発明の他の目的は、携帯電話端末に設定する機能の情報、あるいは機能を設定するためのアプリケーションのありかをメールなどの手段により設定対象の携帯電話端末に通知し得る機能自動設定方法及び携帯電話端末を提供することにある。
【００１５】
更に、本発明の他の目的は、ネットワークを介して機能設定を行うための情報を取得して携帯電話端末に機能の設定を自動的に行い得る機能自動設定方法及び携帯電話端末を提供することにある。
【００１６】
【課題を解決するための手段】
上記の目的を達成するため、第１の発明の機能自動設定方法は、設定サーバから送信された設定情報を携帯電話端末が受信して、携帯電話端末が受信した設定情報に基づいて携帯電話端末の各種機能を設定する機能自動設定方法において、設定サーバが、通信手段を介して接続されたブラウザ機能を搭載した情報端末に対して、携帯電話端末の機能設定のための機能設定ページをブラウザに表示させる第１のステップと、設定サーバが、情報端末から送信されたブラウザに表示された機能設定ページから選択された機能の情報と、機能設定を行う携帯電話端末のメールアドレスとを受信する第２のステップと、受信された選択された機能の情報に基づいて、設定サーバが設定情報を生成して記憶する第３のステップと、設定サーバが、設定情報の記憶場所の情報を含むメールをメールアドレス先の携帯電話端末に送信する第４のステップと、携帯電話端末が、メールを受信して設定情報の記憶場所を取得し、設定サーバに対して取得した記憶場所から設定情報を送信させるように指示する第５のステップと、携帯電話端末からの送信指示に基づき、設定サーバが設定情報を携帯電話端末へ送信する第６のステップと、携帯電話端末が、設定サーバから送信された設定情報を受信し、その受信設定情報に基づいて、情報端末で選択された機能の設定を行う第７のステップとを含むことを特徴とする。
【００１７】
この発明では、情報端末上のブラウザを使用して携帯電話端末の機能の選択を行って得られた設定情報を設定サーバが生成して、その設定情報を設定サーバから携帯電話端末へ送信して、携帯電話端末により機能設定を行わせるようにしたため、携帯電話端末を所有しているユーザと情報端末の使用者とは別人であってもよい。
【００１８】
また、上記の目的を達成するため、第２の発明の機能自動設定方法は、設定サーバから送信された設定情報を、アプリケーション実行手段を備えた携帯電話端末が受信して、携帯電話端末が受信した設定情報に基づいて携帯電話端末の各種機能を設定する機能自動設定方法において、設定サーバが、通信手段を介して接続されたブラウザ機能を搭載した情報端末に対して、携帯電話端末の機能設定のための機能設定ページをブラウザに表示させる第１のステップと、設定サーバが、情報端末から送信されたブラウザに表示された機能設定ページから選択された機能の情報と、機能設定を行う携帯電話端末のメールアドレスとを受信する第２のステップと、受信された選択された機能の情報に基づいて、設定サーバが設定情報を生成して記憶する第３のステップと、設定サーバが、設定情報の記憶場所の情報を含むメールをメールアドレス先の携帯電話端末に送信する第４のステップと、携帯電話端末が、メールを受信して設定情報の記憶場所を取得し、設定サーバに対して取得した記憶場所から設定情報を機能設定アプリケーションと共に送信させるように指示する第５のステップと、携帯電話端末からの送信指示に基づき、設定サーバが設定情報を機能設定アプリケーションと共に携帯電話端末へ送信する第６のステップと、携帯電話端末が、設定サーバから送信された設定情報及び機能設定アプリケーションを受信し、受信機能設定アプリケーションを使用して受信設定情報に基づいて、情報端末で選択された機能の設定を行う第７のステップとを含むことを特徴とする。
【００１９】
この発明では、機能設定アプリケーションも設定サーバから携帯電話端末へ送信するため、携帯電話端末が機能設定アプリケーションを有していなくても、設定サーバから送信された設定情報に基づいて機能設定ができる。
【００２０】
また、上記の目的を達成するため、第３の発明の機能自動設定方法は、設定サーバから送信された設定情報を携帯電話端末が受信して、携帯電話端末が受信した設定情報に基づいて携帯電話端末の各種機能を設定する機能自動設定方法において、設定サーバが、通信手段を介して接続されたブラウザ機能を搭載した情報端末に対して、携帯電話端末の機能設定のための機能設定ページをブラウザに表示させる第１のステップと、設定サーバが、情報端末から送信されたブラウザに表示された機能設定ページから選択された機能の情報と、機能設定を行う携帯電話端末のメールアドレスとを受信する第２のステップと、受信された選択された機能の情報に基づいて、設定サーバが設定情報を生成して記憶する第３のステップと、設定サーバが、設定情報を含むメールをメールアドレス先の携帯電話端末に送信する第４のステップと、携帯電話端末が、設定サーバから送信されたメールを受信して、そのメールに含まれる設定情報を取得し、その取得設定情報に基づいて、情報端末で選択された機能の設定を行う第５のステップとを含むことを特徴とする。この発明では、設定サーバから携帯電話端末へ送信されたメールに添付された設定情報に基づいて機能の自動設定ができる。
【００２１】
ここで、第１又は第２の発明の設定情報の記憶場所の情報は、ＵＲＬ（Ｕｎｉｆｏｒｍ  Ｒｅｓｏｕｒｃｅ  Ｌｏｃａｔｏｒ）であってもよい。
【００２２】
また、上記の目的を達成するため、第５の発明の携帯電話端末は、設定サーバから送信された設定情報を受信し、その受信設定情報に基づいて各種機能を設定する携帯電話端末において、設定サーバが送信する設定情報は、設定サーバが通信手段を介して接続されたブラウザ機能を搭載した情報端末のブラウザに機能設定ページを表示させて、情報端末により選択された機能の情報に基づいて設定サーバが生成したものであり、設定サーバから送信された設定情報の記憶場所の情報を含むメールを受信するメール受信手段と、受信手段により受信したメールに基づき設定情報の記憶場所を取得し、設定サーバに対して取得した記憶場所から設定情報を送信させるように指示する送信指示手段と、送信指示手段による送信指示に基づき、設定サーバから送信された設定情報を受信する設定情報受信手段と、設定情報受信手段により受信された設定情報に基づいて、情報端末で選択された機能の設定を行う機能設定手段とを有する構成としたものである。
【００２３】
この発明では、情報端末上のブラウザを使用して携帯電話端末の機能の選択を行って得られた設定情報を設定サーバが生成して、その設定情報を設定サーバから携帯電話端末へ送信して、携帯電話端末により機能設定を行わせるようにしたため、携帯電話端末を所有しているユーザと情報端末の使用者とは別人であってもよい。
【００２４】
また、上記の目的を達成するため、第６の発明の携帯電話端末は、設定サーバから送信された設定情報を受信し、その受信設定情報に基づいて各種機能を設定すると共に、アプリケーション実行手段を備えた携帯電話端末において、設定サーバが送信する設定情報は、設定サーバが通信手段を介して接続されたブラウザ機能を搭載した情報端末のブラウザに機能設定ページを表示させて、情報端末により選択された機能の情報に基づいて設定サーバが生成したものであり、設定サーバから送信された設定情報の記憶場所の情報を含むメールを受信するメール受信手段と、受信手段により受信したメールに基づき設定情報の記憶場所を取得し、設定サーバに対して取得した記憶場所から設定情報を、機能設定アプリケーションと共に送信させるように指示する送信指示手段と、送信指示手段による送信指示に基づき、設定サーバから送信された設定情報と機能設定アプリケーションとを受信する設定情報受信手段と、設定情報受信手段により受信された機能設定アプリケーションを使用して、受信された設定情報に基づいて、情報端末で選択された機能の設定を行うアプリケーション実行手段とを有する構成としたものである。
【００２５】
この発明では、機能設定アプリケーションも設定サーバから携帯電話端末へ送信するため、携帯電話端末が機能設定アプリケーションを有していなくても、設定サーバから送信された設定情報に基づいて機能設定ができる。
【００２６】
また、上記の目的を達成するため、第７の発明の携帯電話端末は、設定サーバから送信された設定情報を受信し、その受信設定情報に基づいて各種機能を設定する携帯電話端末において、設定サーバが送信する設定情報は、設定サーバが通信手段を介して接続されたブラウザ機能を搭載した情報端末のブラウザに機能設定ページを表示させて、情報端末により選択された機能の情報に基づいて設定サーバが生成したものであり、設定サーバから送信された設定情報を含むメールを受信するメール受信手段と、受信手段により受信したメールから取得した設定情報に基づいて、情報端末で選択された機能の設定を行う機能設定手段とを有する構成としたものである。
【００２７】
【発明の実施の形態】
次に、本発明の一実施の形態について、図面と共に説明する。本発明は、携帯電話端末において端末本体での操作によらず、携帯電話端末の機能設定を実施できる構成を提供するものである。図１は本発明になる機能自動設定方法及び携帯電話端末の一実施の形態を示すシステム構成図である。図１に示す携帯電話機能自動設定システム１は、本発明の一実施の形態の携帯電話端末１０と設定サーバ１１とにより構成されている。また、設定サーバ１１は、インターネットなど通信手段１２を介してパーソナルコンピュータ１３に接続される。
【００２８】
携帯電話端末１０は、メール受信手段１０１、設定情報送信指示手段１０２、設定情報受信手段１０３、設定実行手段１０４及び機能設定手段１０５を含み、インターネットアクセス機能を有する。メール受信手段１０１は、メール送信手段１１２から送信されるメールを受信する。設定情報送信指示手段１０２は、設定情報送信手段１１１に対して設定情報１１５を送信するように要求を送る。設定情報受信手段１０３は、設定情報送信手段１１１が送信した設定情報１１５の受信を行う。設定実行手段１０４は、設定情報１１５に含まれる情報をもとに機能設定手段１０５を使用して携帯電話端末１０の機能設定を行う。機能設定手段１０５は携帯電話端末１０の機能設定を行う。
【００２９】
設定サーバ１１は、設定情報送信手段１１１、メール送信手段１１２、設定情報生成手段１１３、機能設定ページ１１４及び設定情報１１５とを含む。設定情報送信手段１１１は、設定情報１１５を携帯電話端末１０へ送信する処理を行う。メール送信手段１１２は携帯電話端末１０に対して設定情報１１５のありか（ＵＲＬ（Ｕｎｉｆｏｒｍ  Ｒｅｓｏｕｒｃｅ  Ｌｏｃａｔｏｒ）など）を含むメールの送信を行う。
【００３０】
設定情報生成手段１１３は設定情報１１５を生成する。機能設定ページ１１４は、ユーザのパーソナルコンピュータ１３からの操作により設定すべき情報を収集し、設定情報生成手段１１３を起動すると共に、メール送信手段１１２に対して携帯電話端末１０へのメールを送信するよう指示を行う。
【００３１】
なお、図１では図示の便宜上、設定サーバ１１は携帯電話端末１０に１対１に対応して図示しているが、実際には、図１の携帯電話端末１０と同一構成の多数の携帯電話端末に対して共通に設けられている。また、携帯電話端末１０と設定サーバ１１との間では、通常の移動体通信網を介して通信が行われる。
【００３２】
ユーザはパーソナルコンピュータ１３を使用して設定サーバ１１をアクセスし、携帯電話端末１０に設定したい機能の情報を生成する。パーソナルコンピュータ１３の所有者は、携帯電話端末１０と同じユーザであってもよいし、他人であってもよい。本実施の形態の携帯電話端末１０は、設定する機能の情報を設定サーバ１１から取得し、取得情報をもとに自端末に機能設定を行う。このようにして、携帯電話端末１０において多くの操作を行わずに機能設定を行うことを可能とする。
【００３３】
次に、図１のブロック図、図２の画面例及び図３のフローチャートを参照して本実施の形態の全体の動作について詳細に説明する。まず、携帯電話端末１０の機能設定（携帯電話の有するマナーモード設定、バックライト消灯時間設定、着信音量設定、ボタン確認音設定など）を行おうとするユーザは、インターネットなどの通信手段１２を経由して設定サーバ１１に接続可能なパーソナルコンピュータ１３上のブラウザ１３１を使用して、機能設定ページ１１４をブラウザ１３１に表示する（図３のステップＳ１）。
【００３４】
機能設定ページ１１４をブラウザ１３１に表示させた一例を図２に示す。図２において、ブラウザ１３１には、携帯電話端末１０に対して設定する機能が選択できる画面が表示されており、ユーザは画面上で携帯電話端末１０に対して設定したい機能の選択を行うと共に、図２には表示されていないメールアドレス入力領域に携帯電話端末１０へメールを送信するためのメールアドレスを入力する（図３のステップＳ２）。
【００３５】
なお、上記の機能の選択とは、機能設定項目の中の詳細項目を選択することであり、例えば図２の例では、「マナーモード設定」という機能設定項目では、バイブレータありかなしかを設定することが機能選択であり、「バックライト消灯時間設定」という機能設定項目では、３０秒、１分、２分、消灯しないのいずれかの項目を選択することを機能選択という。
【００３６】
また、図２では機能設定項目は４種類しか図示していないが、実際にはそれ以上の多数の機能設定項目があるため、携帯電話端末に不慣れなユーザにとって機能自体の意味が不明な場合もあり、機能選択が困難である。そこで、本実施の形態では、例えば携帯電話端末１０を所有するユーザが、機能設定に不慣れなユーザである場合、機能設定に慣れている第三者に対してメール等にて機能設定を依頼し、遠隔地にいるその第三者がパーソナルコンピュータ１３上のブラウザ１３１を使用して携帯電話端末１０を所有するユーザに適した機能選択を行うことができる。勿論、携帯電話端末１０を所有するユーザが、機能設定に慣れている場合には、ユーザの自宅等にあるパーソナルコンピュータ１３上のブラウザ１３１を使用して機能選択を行うことも可能である。
【００３７】
ブラウザ１３１による設定する機能の選択及びメールアドレスの入力が完了すると、機能設定ページ１１４は設定情報生成手段１１３に対してユーザの選択した機能情報を渡して設定情報１１５を生成させて記憶すると共に（図３のステップＳ３）、メール送信手段１１２に対してユーザが入力したメールアドレスに対して設定情報１１５のありか（記憶場所であり、ＵＲＬなど）を含むメールを送信するよう指示する。この指示により、メール送信手段１１２は設定サーバ１１内の設定情報１１５のありか（ＵＲＬなど）を含むメールを携帯電話端末１０に対して送信する（図３のステップＳ４）。
【００３８】
携帯電話端末１０のメール受信手段１０１は、メール送信手段１１２によって送信されたメールを受信し、その受信メールに含まれる設定情報１１５のありか（ＵＲＬなど）の情報を設定情報送信指示手段１０２に対して通知する（図３のステップＳ５）。設定情報送信指示手段１０２は、通知された設定情報１１５のありか（ＵＲＬなど）の情報を、図示されていない携帯電話端末１０のインターネットアクセス機能を使用して設定情報送信手段１１１に対して通知する（図３のステップＳ６）。
【００３９】
設定情報送信手段１１１は、設定情報送信指示手段１０２から通知されたＵＲＬなどの情報から設定情報１１５のありかを知り、設定情報１１５を設定情報受信手段１０３に対して送信する（図３のステップＳ７）。設定情報受信手段１０３は、設定情報送信手段１１１から設定情報１１５を受信すると、設定実行手段１０４に対して受信した設定情報１１５を引き渡す。設定実施手段１０４は受け取った設定情報１１５の内容に基づいて、機能設定手段１０５を使用して携帯電話端末１０に対して指定された機能の設定を行う（図３のステップＳ８）。
【００４０】
このように、本実施の形態によれば、パーソナルコンピュータ１３上のブラウザ１３１を使用することにより、ユーザが希望する機能設定をブラウザ１３１から指定できるため、携帯電話端末１０から離れた場所においても携帯電話端末１０の機能設定操作を簡易にできる。
【００４１】
また、本実施の形態では、機能設定に慣れている者がパーソナルコンピュータ１３上のブラウザ１３１を使用して設定情報を作成し、設定に不慣れな携帯電話端末１０を所有するユーザに対して設定情報をメールを介して受け渡すことができるため、設定に不慣れな携帯電話端末１０を所有するユーザが、遠隔地にいる機能設定に慣れている者に機能設定を依頼することができる。
【００４２】
更に、本実施の形態では、携帯電話端末１０に対する機能の設定情報を外部の設定サーバ１１から取得し、携帯電話端末１０がその設定情報を基に機能設定を実行する手段を有しているため、携帯電話端末１０の機能設定を自動的に行うことができる。
【００４３】
次に、本発明の他の実施の形態について図面を参照して詳細に説明する。図４は、本発明になる機能自動設定方法及び携帯電話端末の他の実施の形態を示すシステム構成図である。同図中、図１と同一構成部分には同一符号を付し、その説明を省略する。図４に示す携帯電話機能自動設定システム３は、本発明の他の実施の形態の携帯電話端末３０と設定サーバ３１とにより構成されている。携帯電話端末３０は、メール受信手段３０１、アプリケーション及び設定情報送信指示手段３０２、アプリケーション及び設定情報受信手段３０３、アプリケーション実行手段３０４及び機能設定手段３０５を含み、インターネットアクセス機能を有する。
【００４４】
メール受信手段３０１は、メール送信手段３１２から送信されるメールを受信する。アプリケーション及び設定情報送信指示手段３０２は、アプリケーション及び設定情報送信手段３１１に対して設定情報３１５及び機能設定アプリケーション３１６を送信するように要求を送る。アプリケーション及び設定情報受信手段３０３は、アプリケーション及び設定情報送信手段３１１が送信した設定情報３１５や機能設定アプリケーション３１６の受信を行う。アプリケーション実行手段３０４は、設定情報３１５や機能設定アプリケーション３１６に含まれる情報をもとに機能設定手段３０５を使用して携帯電話端末３０の機能設定を行う。機能設定手段３０５は携帯電話端末３０の機能設定を行う。
【００４５】
設定サーバ３１は、アプリケーション及び設定情報送信手段３１１、メール送信手段３１２、設定情報生成手段３１３、機能設定ページ３１４、設定情報３１５及び機能設定アプリケーション３１６とを含む。アプリケーション及び設定情報送信手段３１１は、設定情報１１５及び機能設定アプリケーション３１６を携帯電話端末３０へ送信する処理を行う。メール送信手段３１２は携帯電話端末３０に対して設定情報３１５や機能設定アプリケーション３１６のありか（ＵＲＬなど）を含むメールの送信を行う。
【００４６】
設定情報生成手段３１３は設定情報３１５を生成する。機能設定ページ３１４は、ユーザのパーソナルコンピュータ１３からの操作により設定すべき情報を収集し、設定情報生成手段３１３を起動すると共に、メール送信手段３１２に対して携帯電話端末３０へのメールを送信するよう指示を行う。
【００４７】
この実施の形態は、図１における携帯電話端末１０がＪａｖａ（登録商標）アプリケーションなどのアプリケーション実行手段を有する場合に図１の実施の形態と同等の効果を提供する例である。図４を参照すると、携帯電話端末３０にアプリケーション及び設定情報送信指示手段３０２とアプリケーション及び設定情報受信手段３０３とアプリケーション実行手段３０４が携帯電話端末３０に備わっていること、アプリケーション及び設定情報送信手段３１１と機能設定アプリケーション３１６が設定サーバ３１に備わっていることが図１に示した実施の形態と異なる。
【００４８】
図４に示す他の実施の形態では、携帯電話端末３０が図１に示した実施の形態にある設定実行手段１０４の機能を有していない場合においても、設定実行手段１０４に相当する機能を有する機能設定アプリケーション３１６を設定サーバ３１内のアプリケーション及び設定情報送信手段３１１から送信してアプリケーション及び設定情報受信手段３０３で受信させ、その機能設定アプリケーション３１６をアプリケーション実行手段３０４により実行することにより目的の機能を実現している。図４に示すそれ以外の機能設定動作は、図１に示した実施の形態と同様である。
【００４９】
なお、本発明は以上の実施の形態に限定されるものではなく、例えば、図１における設定情報１１５をメール送信手段１１２が送信するメール内に含めて携帯電話端末１０に送信することにより、設定情報送信指示手段１０２と設定情報受信手段１０３と設定情報送信手段１１１を省き、同等の機能を提供することも可能である。また、パーソナルコンピュータ１３の替りに、ブラウザ機能を有する携帯電話端末等の他の情報端末を使用することも可能である。
【００５０】
【発明の効果】
以上説明したように、本発明によれば、以下の特長を有するものである。
【００５１】
（１）携帯電話端末の機能設定操作を簡易化できる。その理由は、本発明によれば、情報端末上のブラウザを使用して携帯電話端末の機能の選択を行えるためである。
【００５２】
（２）携帯電話端末を所有するユーザが機能設定に不慣れであっても、機能設定に慣れたユーザが行ったものと同じ最適な機能設定ができる。その理由は、本発明によれば、情報端末上のブラウザを使用して得られた設定情報を設定サーバが生成して、その設定情報を設定サーバから携帯電話端末へ送信して、携帯電話端末により機能設定を行わせることにより、携帯電話端末を所有しているユーザと情報端末の使用者とは別人であってもよいようにしたため、携帯電話端末を所有する機能設定に不慣れなユーザが、遠隔地の機能設定に慣れている者に依頼して情報端末のブラウザを使用して設定情報を作成させることができるからである。
【００５３】
（３）携帯電話端末に設定を自動的に行うことができる。その理由は、携帯電話端末の機能設定に関する設定情報を、設定サーバから携帯電話端末が取得し、携帯電話端末が取得した設定情報に基づいて機能設定を行う手段を有するからである。
【図面の簡単な説明】
【図１】本発明の機能自動設定方法及び携帯電話端末の一実施の形態を示すシステム構成図である。
【図２】機能設定ページをブラウザに表示させた一例である。
【図３】本発明方法の一実施の形態のフローチャートである。
【図４】本発明の機能自動設定方法及び携帯電話端末の他の実施の形態を示すシステム構成図である。
【符号の説明】
１、３  携帯電話機能自動設定システム
１０、３０  携帯電話端末
１１、３１  設定サーバ
１２  インターネットなど通信手段
１３  パーソナルコンピュータ
１０１、３０１  メール受信手段
１０２  設定情報送信指示手段
１０３  設定情報受信手段
１０４  設定実行手段
１０５、３０５  機能設定手段
１１１  設定情報送信手段
１１２、３１２  メール送信手段
１１３、３１３  設定情報生成手段
１１４、３１４  機能設定ページ
１１５、３１５  設定情報
１３１  ブラウザ
３０２  アプリケーションおよび設定情報送信指示手段
３０３  アプリケーションおよび設定情報受信手段
３０４  アプリケーション実行手段
３１１  アプリケーションおよび設定情報送信手段
３１６  機能設定アプリケーション
【図１】
2004297526.tif 000003
【図２】
2004297526.tif 000004
【図３】
2004297526.tif 000005
【図４】
2004297526.tif 000006